(57)【要約】    【課題】  高齢者、妊婦、子供、身障者など、圧迫が危険な乗客を保護するとともに、ドアから座席までの支持具の連続性を考慮した鉄道車両の優先席ガード装置を提供する。    【解決手段】  鉄道車両の優先席ガード装置において、鉄道車両の優先席３の前に、立席ポスト群４〜７を車両のドア２の近傍を始点として車両の長手方向に一列に配置し、優先領域１０を画定する。【選択図】  図１
2006035969.tif 000002
【特許請求の範囲】
【請求項１】
鉄道車両の優先席の前に、立席ポスト群を車両のドアの近傍を始点として、座席から乗客１人分程度の距離をあけて車両の長手方向に一列に配置し、前記立席ポスト群と前記優先席との間の領域を優先領域として画定することを特徴とする鉄道車両の優先席ガード装置。
【請求項２】
請求項１記載の鉄道車両の優先席ガード装置において、前記立席ポスト群に開閉可能な横棒を配置することを特徴とする鉄道車両の優先席ガード装置。
【請求項３】
請求項１記載の鉄道車両の優先席ガード装置において、前記立席ポスト群にネットを配置することを特徴とする鉄道車両の優先席ガード装置。
【請求項４】
請求項１記載の鉄道車両の優先席ガード装置において、前記優先領域には吊り革が配置され、略一列に乗客が乗車するスペースを有することを特徴とする鉄道車両の優先席ガード装置。
【請求項５】
請求項１記載の鉄道車両の優先席ガード装置において、前記立席ポスト群は車両の床と天井に形成された溝に移動可能に設けられ、前記立席ポスト間の間隔を調整可能にしてなることを特徴とする鉄道車両の優先席ガード装置。
【請求項６】
請求項１記載の鉄道車両の優先席ガード装置において、更に、前記優先領域内に座位乗客の靴先以上の空間をあけて立設される手すりを備えることを特徴とする鉄道車両の優先席ガード装置。
【請求項７】
請求項６記載の鉄道車両の優先席ガード装置において、前記手すりは上端は天井、荷棚、又はつり手受け棒に固定され、下端は床、座席、床、又は袖仕切に固定されることを特徴とする鉄道車両の優先席ガード装置。
【発明の詳細な説明】
【技術分野】
【０００１】
本発明は、鉄道車両の優先席ガード装置に関するものである。
【背景技術】
【０００２】
従来の鉄道車両内の支持具としては、吊り革の他に、鉄道車両内に支柱を立てて乗客に支持具として提供する例があるが、その場合、支柱はドアとドアの間もしくは座席と座席の間に１本だけ立てられており、立った状態の乗客がこれに掴まることで、乗車中に転倒するのを防止するようにしている（下記非特許文献１参照）。
【０００３】
また、図１０に示すように、仕切りを主な用途とする、座席前端部から荷棚をつなぐ支柱があった。
【非特許文献１】人間工学  Ｖｏｌ．３９，Ｎｏ．６，２００３，ｐｐ３０８〜３１７
【発明の開示】
【発明が解決しようとする課題】
【０００４】
しかしながら、混雑時にはこの支柱に対して乗客が押しつけられる危険があるにも関わらず、通勤車両には、高齢者、妊婦、子供、身障者など、圧迫が危険な乗客に対する配慮が少ない。
【０００５】
また、高齢などで肩より上に手を上げられない人、子供など身長が低くて吊り革に届かない人のための支持具（手すり）が少なく、また、手すりがあったとしても立位乗客からの距離が大きすぎるため手が届かなかったり、届いても十分に力が入れにくいといった問題があった。また、手すりがあまり多いと旅客流動に問題がでる。
【０００６】
さらに、ドアから座席までの支持具の連続性に欠けており、ドアから座席までの移動が不安定であるといった問題があった。
【０００７】
また、立位乗客が、図１０に示すような仕切りを手すりとして利用しようとすると、座位乗客の足が邪魔となるので、立位乗客は腕を延ばした不安定な体勢となり、十分に体を支持できないという問題があった。
【０００８】
本発明は、上記状況に鑑みて、高齢者、妊婦、子供、身障者など、圧迫が危険な乗客を保護するとともに、ドアから座席までの支持具の連続性を考慮した鉄道車両の優先席ガード装置を提供することを目的とする。
【課題を解決するための手段】
【０００９】
本発明は、上記目的を達成するために、
〔１〕鉄道車両の優先席ガード装置において、鉄道車両の優先席の前に、立席ポスト群を車両のドアの近傍を始点として車両の長手方向に一列に配置し、前記立席ポスト群と前記優先席との間の領域を優先領域として優先領域を画定することを特徴とする。
【００１０】
〔２〕上記〔１〕記載の鉄道車両の優先席ガード装置において、前記立席ポスト群に開閉可能な横棒を配置することを特徴とする。
【００１１】
〔３〕上記〔１〕記載の鉄道車両の優先席ガード装置において、前記立席ポスト群にネットを配置することを特徴とする。
【００１２】
〔４〕上記〔１〕記載の鉄道車両の優先席ガード装置において、前記優先領域には吊り革が配置され、略一列に乗客が乗車するスペースを有することを特徴とする。
【００１３】
〔５〕上記〔１〕記載の鉄道車両の優先席ガード装置において、前記立席ポスト群は車両の床と天井に形成された溝に移動可能に設けられ、前記立席ポスト間の間隔を調整可能にしてなることを特徴とする。
【００１４】
〔６〕上記〔１〕記載の鉄道車両の優先席ガード装置において、更に、前記優先領域内に座位乗客の靴先以上の空間をあけて立設される手すりを備えることを特徴とする。
【００１５】
〔７〕上記〔６〕記載の鉄道車両の優先席ガード装置において、前記手すりは上端は天井、荷棚、又はつり手受け棒に固定され、下端は床、座席、床、又は袖仕切に固定されることを特徴とする。
【発明の効果】
【００１６】
本発明によれば、
（１）混雑時、優先席ガードとしての立席ポスト（握り棒）の内側は混雑度が比較的小さくなるので、この立席ポストの内側を高齢者・妊婦などの乗車領域とすること、すなわち、優先領域（優先空間）として画定することにより、高齢者・妊婦などを混雑時の圧迫から保護することができる。
【００１７】
（２）混雑していないときは、各立席ポストが手すりとして機能する。
【００１８】
（３）混雑していない時は、高齢者・妊婦などがドアから優先席にたどりつくまで連続して身体を支えることができる（立席ポストを配置するのは車両端のみであるため車椅子の乗り降りの妨げにはならない）。
【００１９】
（４）さらに、優先領域内に手すりを設けることにより、立位乗客は座位乗客の足と干渉することなく手すり際まで近づくことができるため、手の短い子供や手を延ばした位置では不安定な支持となる高齢者なども、脇をしめた力の入れやすい姿勢で手すりを握ることができる。
【発明を実施するための最良の形態】
【００２０】
鉄道車両の優先席ガード装置において、鉄道車両の優先席の前に、立席ポスト群を車両のドアの近傍を始点として車両の長手方向に一列に配置し、優先領域を画定する。よって、高齢者・妊婦などをラッシュの圧迫から保護することができる。
【００２１】
また、優先領域においては、立位乗客は安定な状態を確保することができる。
【実施例】
【００２２】
以下、本発明の実施の形態について詳細に説明する。
【００２３】
図１は本発明の実施例を示す優先席ガード装置の基本的配置を示す上面図、図２はその優先席ガード装置の斜視図である。
【００２４】
これらの図において、１は鉄道車両の客室、２はその客室のドア、３は優先席、４〜７は立席ポスト群、つまり、客室１の床から天井まで真っ直ぐに立てられている複数の握り棒群である。８は一般席、９は通常の吊り革である。
【００２５】
立席ポスト群４〜７の位置は、優先席３との間に十分な空間をとるように、従来のつり革９の取付け位置よりも車両中心寄りに配置する。これにより、優先席３と立席ポスト群４〜７との間には、乗客が一列に並んで乗車できるような優先領域（優先空間）１０が画定される。最近の標準的な車両は従来車両より室内の幅が１４０ｍｍ広いため（地下鉄及び地下鉄乗り入れ車両を除く）、立席ポスト群４〜７を車両中心寄りに立てても通路は十分に確保することができる。立席ポスト群４〜７は車両の客室１の床と天井に固定される。
【００２６】
また、図示しないが、客室１の床と天井に、車両の長手方向に溝を形成して、車両の客室１の状況に合わせて立席ポスト群４〜７をその溝にそって水平移動できるようにしてもよい。
【００２７】
すなわち、車両の客室１の混雑度が高い場合には、立席ポスト間の距離を短くしてその内側の優先領域１０に乗客が入りにくいようにして、高齢者・妊婦などを保護する。一方、混雑度が低い場合には立席ポスト間の距離を大きくして優先領域１０に乗客が入りやすいように構成することができる。また、座席清掃時やその他必要な場合には、立席ポスト群４〜７を全て端に寄せ集めることもできる。
【００２８】
図３は本発明の実施例を示す優先領域の乗客の利用状況を示す上面模式図であり、図３（ａ）は鉄道車両の客室の混雑時以外（比較的空いている）の状態を示し、図３（ｂ）は鉄道車両の客室の混雑時（混んでいる）の状態を示している。
【００２９】
図３（ｂ）に示すように、優先席３付近に複数の立席ポスト群４〜７を配置することによって、立席ポスト群４〜７が車両の客室１内を仕切る働きをするので、混雑時も優先席３と立席ポスト群４〜７の間の優先領域１０は混雑度が比較的低くなる。そこで、この優先領域１０に高齢者・妊婦など１１を乗車させることにより、高齢者・妊婦など１１を混雑時の圧迫から保護することができる。当然、高齢者・妊婦など１１は優先席３側から押されることはないため、優先席３と立席ポスト群４〜７との間にいる高齢者・妊婦など１１が立席ポスト群４〜７に押しつけられる危険性は少ない。
【００３０】
また、図３（ａ）に示すように、混雑時以外では立席ポスト群４〜７は個別の手すりとして機能し、手すりを増加させたのと同じ効果を奏する一方で、優先席３は車両端に位置しているため乗客の流動には大きな影響を与えることはない。
【００３１】
さらに、立席ポスト群４〜７はドアから優先席３まで連続的に設けられているため、高齢者・妊婦など１１が優先席３にたどりつくまで連続して身体を支えることができる。つまり、優先席３への案内ポストとして機能する。
【００３２】
図４は本発明の他の実施例を示す優先席ガード装置の配置を示す斜視図、図５はその優先席ガード装置の横棒の模式図であり、図５（ａ）はその横棒の第１実施例を示す図、図５（ｂ）はその横棒の第２実施例を示す図である。
【００３３】
この実施例では、立席ポスト群４〜７の間に横棒（横方向のバー）２１を配置することができるようにしている。
【００３４】
その横棒２１は、図５（ａ）に示すように、基部が立席ポスト５に枢着軸２２で枢着されており、回転させて開閉することができる。横棒２１が回転して倒されると、横棒２１の先端は立席ポスト６に設けられる止め具２３に止められる。
【００３５】
また、その横棒２１は、図５（ｂ）に示すように、基部が立席ポスト５に枢着軸２２で枢着されており、その横棒２１の先端には磁石２４が固定されており、隣りの立席ポスト６に固定された磁石２５（磁石２４とは異なる極性を有する）を備えた止め具２６に横棒２１の先端に対応可能にし、前記磁石２４を磁石２５に磁気的に吸着させて、横棒２１を止め具２６に磁気的吸着力により止めることができるように構成することができる。
【００３６】
このように、立席ポスト群４〜６には簡易に開閉できる横棒２１を渡して、優先領域１０をより保護することができる。つまり、優先領域１０の外部からの圧迫をより低減することができる。
【００３７】
図６は本発明の更なる他の実施例を示す優先席ガード装置の配置を示す斜視図である。
【００３８】
この実施例では、立席ポスト群４〜７間の間にネット３１を配置するようにしている。
【００３９】
このように立席ポスト群４〜７にネット３１を設けることにより、優先領域１０をより保護することができる。つまり、優先領域１０の外部からの圧迫をより低減することができる。
【００４０】
なお、上記した横棒やネットに代えて、簡易に開閉可能なネットや、弾力性を有する板などを貼るようにすることにより、優先領域１０を保護するようにしてもよい。
【００４１】
このように、本発明によれば、立席ポストにより優先領域を混雑時の圧迫から保護することができる。
【００４２】
また、上記した立席ポスト群は、車両のドアから順次優先席に向かって、一列に配置されているので、これらの立席ポストによって優先席近傍の優先領域へと安全に移動することができる。
【００４３】
更に、上記した立席ポスト群は身長の低い子供や腕が上方に上がらない高齢者にとって安全な手すりとして利用できることは言うまでもない。
【００４４】
このように構成することにより、優先領域は混雑しない状態にあるため、優先席に着席している乗客にとっても、混雑時に前方から倒れこまれたり、もぐりこまれたりするといった危険がなくなり、快適な乗車をすることができる。
【００４５】
本発明では、さらに、優先領域に安定して立席乗車できるように以下の構成を施すようにすることができる。
【００４６】
すなわち、優先領域に安定して立席乗車できるように手すりを施工する。
【００４７】
図７は、本発明の優先領域内に設けられる手すりの、上側が天井に支持される場合を示す図であり、図７（ａ）は下側が床に支持される場合、図７（ｂ）は下側が座席前端に支持される場合、図７（ｃ）は下側が袖仕切りに支持される場合を示している。
【００４８】
これらの図において、４１は上側が天井、下側が床に支持される手すり、４２は上側が天井、下側が座席前端に支持される手すり、４３は上側が天井、下側が袖仕切りに支持される手すりである。
【００４９】
図８は、本発明の優先領域内に設けられる手すりの、上側が荷棚に支持される場合を示す図であり、図８（ａ）は下側が床に支持される場合、図８（ｂ）は下側が座席前端に支持される場合、図８（ｃ）は下側が袖仕切りに支持される場合を示している。
【００５０】
これらの図において、５１は上側が荷棚、下側が床に支持される手すり、５２は上側が荷棚、下側が座席前端に支持される手すり、５３は上側が荷棚、下側が袖仕切りに支持される手すりである。
【００５１】
図９は、本発明の優先領域内に設けられる手すりの、上側が吊り手受け棒に支持される場合を示す図であり、図９（ａ）は下側が床に支持される場合、図９（ｂ）は下側が座席前端に支持される場合、図９（ｃ）は下側が袖仕切りに支持される場合を示している。
【００５２】
これらの図において、６１は上側が吊り手受け棒、下側が床に支持される手すり、６２は上側が吊り手受け棒、下側が座席前端に支持される手すり、６３は上側が吊り手受け棒、下側が袖仕切りに支持される手すりである。
【００５３】
これらをまとめると、優先領域に設けられる手すりの上端は天井、荷棚、つり手受け棒のいずれかに固定され、下端は床、座席、床、もしくは袖仕切のいずれかに固定されに固定される。
【００５４】
このように構成することで、優先領域内にいる立位乗客は、座位乗客の足と干渉することなく手すり際まで近づくことができるため、手の短い子供や手を延ばした位置では不安定な支持となる高齢者なども、脇をしめた力の入れやすい姿勢で手すりを握ることができる。
【００５５】
なお、本発明は上記実施例に限定されるものではなく、本発明の趣旨に基づき種々の変形が可能であり、これらを本発明の範囲から排除するものではない。
【産業上の利用可能性】
【００５６】
本発明の鉄道車両の優先席ガード装置は、高齢者、妊婦、子供、身障者など圧迫が危険である乗客にやさしい安全な優先領域を提供する鉄道車両への利用が可能である。
【図面の簡単な説明】
【００５７】
【図１】本発明の実施例を示す優先席ガード装置の基本的配置を示す上面図である。
【図２】本発明の実施例を示す優先席ガード装置の斜視図である。
【図３】本発明の実施例を示す優先領域の乗客の利用状況を示す上面模式図である。
【図４】本発明の他の実施例を示す優先席ガード装置の配置を示す斜視図である。
【図５】本発明の他の実施例を示す優先席ガード装置の横棒の模式図である。
【図６】本発明の更なる他の実施例を示す優先席ガード装置の配置を示す斜視図である。
【図７】本発明の優先領域内に設けられる手すりの、上側が天井に支持される場合を示す図である。
【図８】本発明の優先領域内に設けられる手すりの、上側が荷棚に支持される場合を示す図である。
【図９】本発明の優先領域内に設けられる手すりの、上側が吊り手受け棒に支持される場合を示す図である。
【図１０】従来の手すりの配置を示す側面図である。
【符号の説明】
【００５８】
１    鉄道車両の客室
２    客室のドア
３    優先席
４〜７，７Ａ，７Ｂ    立席ポスト群
８    一般席
９    吊り革
１０    優先領域
１１    高齢者・妊婦など
２１    横棒
２２    枢着軸
２３，２６    止め具
２４，２５    磁石
３１    ネット
４１    上側が天井、下側が床に支持される手すり
４２    上側が天井、下側が座席前端に支持される手すり
４３    上側が天井、下側が袖仕切りに支持される手すり
５１    上側が荷棚、下側が床に支持される手すり
５２    上側が荷棚、下側が座席前端に支持される手すり
５３    上側が荷棚、下側が袖仕切りに支持される手すり
６１    上側が吊り手受け棒、下側が床に支持される手すり
６２    上側が吊り手受け棒、下側が座席前端に支持される手すり
６３    上側が吊り手受け棒、下側が袖仕切りに支持される手すり
【図１】
2006035969.tif 000003
【図２】
2006035969.tif 000004
【図３】
2006035969.tif 000005
【図４】
2006035969.tif 000006
【図５】
2006035969.tif 000007
【図６】
2006035969.tif 000008
【図７】
2006035969.tif 000009
【図８】
2006035969.tif 000010
【図９】
2006035969.tif 000011
【図１０】
2006035969.tif 000012